(57)【要約】【課題】脈動の影響を軽減することができ、流量バラツキを低減して安定した流量測定に寄与する電子化ガスメータの脈動吸収構造を提供すること。【解決手段】メータ内の流路５３中に流量センサ１０が設置され、該流量センサ１０の上流側および下流側に、前記流量センサ１０の設置位置が前記流路５３の流入口５１または流出口５２から前記流路５３に導入される脈動による圧力変動の腹の位置にほぼ一致するように調整するための緩衝室５３Ａが設けられている。【選択図】　　　図１
2004093393.tif 000002
【特許請求の範囲】
【請求項１】
メータ内の流路中に流量センサが設置され、該流量センサの上流側および下流側に、前記流量センサの設置位置が前記流路の流入口または流出口から前記流路に導入される脈動による圧力変動の腹の位置にほぼ一致するように調整するための緩衝室が設けられている
ことを特徴とする電子化ガスメータの脈動吸収構造。
【請求項２】
前記緩衝室は、前記流路の流入口の直後及び流出口の直前にそれぞれ設けられている
ことを特徴とする請求項１記載の電子化ガスメータの脈動吸収構造。
【請求項３】
前記緩衝室は、前記メータの裏側に設けられており、前記流量センサの上流側および下流側に前記緩衝室への出入り口をそれぞれ設けた
ことを特徴とする請求項１記載の電子化ガスメータの脈動吸収構造。
【請求項４】
前記流量センサは、前記流路の流入口に連通する導入路と前記流路の流出口に連通する導出路との間に穴付き仕切板で区切られた計測路内に設置され、
前記緩衝室は、前記導入路との間および前記計測路との間にそれぞれ出入り口を有する第１の緩衝室と、前記導出路との間および前記計測路との間にそれぞれ出入り口を有する第２の緩衝室とからなる
ことを特徴とする請求項１記載の電子化ガスメータの脈動吸収構造。
【発明の詳細な説明】
【０００１】
【発明の属する技術分野】
本発明は、電子化ガスメータの脈動吸収構造に関する。
【０００２】
【従来の技術】
近年、マイクロコンピュータを利用して流量センサによる検出流量を積算してガス使用量を算出したり、異常時には保安のために流路を遮断する遮断弁装置等を備えたガスメータが普及している。ところが、ガスメータの小型化が進むと、流量センサ前後の流路直線部を十分確保しきれなくなり、流量センサは、その上流側のガス供給圧力や下流側のガス使用状況の影響を受け易くなるという問題が発生する。また、ガス消費設備としての給湯器やガスヒートポンプ等は、間歇駆動されていることが多く、このため流路内に圧力変動、すなわち脈動が発生して、逆流が発生することがある。特に、給湯器のバルブオン／オフ制御により発生する脈動は、周波数的には５０Ｈｚ〜１５０Ｈｚで圧力波形的には正弦波であり、ガスヒートポンプと比較してより厳しい環境になっている。そこで、この逆流を検出してより正確な流量を検出する必要があるが、遮断弁装置等の内部装置の存在によって、流量センサの設置位置から見た場合の流路が非対称にならざるを得ず、このため、正流時と逆流時のセンサ出力特性が不均一になって、マイクロコンピュータの流量演算処理時の負担が大きくなるという問題も発生する。
【０００３】
そこで、上述の問題を緩和するために、流量センサが取り付けられているメータ内の流路に整流器を装着した電子化ガスメータが提案されている。
【０００４】
図７は、従来の電子化ガスメータの構成例を示す概略構成図である。図７において、電子化ガスメータは、ガス供給源側である上流側配管５１Ａ及びガス消費源側である下流側配管５２Ａの間に接続される。この上流側配管５１Ａ及び下流側配管５２Ａは、所定の間隔を有して、電子化ガスメータの流入口５１及び流出口５２がそれぞれ連結されている。流入口１１から流入したガスは、ガスメータ内部の流路５３を通過し、流出口５２に流出していく。この流路５３の一部には流量センサ１０が取り付けられ、ここでのガス流が流量センサ１０によって計量される。流量センサ１０は、その測定面が流路の内壁面から流路中にやや突出するように取付けられている。流量センサ１０としては、例えば、マイクロフローセンサが用いられる。
【０００５】
このマイクロフローセンサで発生した、流路５３を流れる流速に対応する熱起電力信号は、マイクロコンピュータ（ＣＰＵ）５０に出力され、ＣＰＵ５０は、この信号に基づいて、流路５３を流れるガスの瞬時的な流速を求め、これに流路５３の断面積及びその構造に依存する係数を乗じて、流路５３内を流れるガスの瞬時流量を求める。また、ＣＰＵ５０は、流路５３内のガス圧またはガス流量の異常値を検知した場合には、遮断弁装置５５Ａの遮断弁を閉制御して流路５３を流れるガスを遮断する。
【０００６】
流量センサ１０が取り付けられている流路５３部分には、複数の整流板１４と、整流板１４の両端に密着して配置された第１メッシュ１５Ａ及び第２メッシュ１５Ｂと、第１メッシュ１５Ａから上流側に所定の間隔を置いて配置された第３メッシュ１５Ｃとを含む整流器１が装着されている。この整流器１の装着によって、流量センサ１０付近のガスの流れは整流され、それにより流量センサ１０に対する上流側及び下流側からの影響が軽減されて、流量センサ１０の検出精度が高められる。
【０００７】
【発明が解決しようとする課題】
ところが、上述の構成の電子化ガスメータにおいては、ガス供給源側またはガス消費源側から流路５３内に脈動が導入された場合、脈動による流路５３内の圧力変動時に、図８において曲線Ｐで示す圧力変動特性における腹の位置（丸ＡおよびＡ′で囲んだ位置）に流量センサ１０があれば、流量センサ１０に対する脈動の影響（流速変化）は小さくなる。しかし、配管の具合によっては、流量センサ１０の位置が、図８に示す節の位置（丸Ｂで囲んだ位置）にくることもあり、この場合には、流量センサ１０に対する脈動の影響（流速変化）は逆に大きくなってしまう。
【０００８】
これは、流路５３内においては、ガスの圧力の変動に伴って生じる流速の変化は、図８において曲線Ｖで示すように、圧力変動に対して位相が９０度ずれる関係にあるからである。すなわち、圧力の変動における腹（丸ＡおよびＡ′で囲んだ位置）においては、流速の変化はほぼゼロになり、圧力の変動における節（丸Ｂで囲んだ位置）においては、流速の変動はほぼ最大になる。
【０００９】
そこで本発明は、上述した従来の問題を解決し、脈動の影響を軽減することができ、流量バラツキを低減して安定した流量測定に寄与する電子化ガスメータの脈動吸収構造を提供することを課題としている。
【００１０】
【課題を解決するための手段】
上記課題を解決するためになされた請求項１記載の発明は、メータ内の流路中に流量センサが設置され、該流量センサの上流側および下流側に、前記流量センサの設置位置が前記流路の流入口または前記流出口から前記流路に導入される脈動による圧力変動の腹の位置にほぼ一致するように調整するための緩衝室が設けられていることを特徴とする電子化ガスメータの脈動吸収構造に存する。
【００１１】
請求項１記載の発明によれば、メータ内の流路中に流量センサが設置され、流量センサの上流側および下流側に、流量センサの設置位置が流路の流入口または流出口から流路に導入される脈動による圧力変動の腹の位置にほぼ一致するように調整するための緩衝室が設けられているので、流入口または流出口から流路に導入される脈動の流量センサへの影響を緩和することができる。また、これに伴い、流量センサの逆流側検出範囲を小さくできるため、回路のコストダウンとなる。
【００１２】
上記課題を解決するためになされた請求項２記載の発明は、前記緩衝室は、前記流路の流入口の直後及び流出口の直前にそれぞれ設けられていることを特徴とする請求項１記載の電子化ガスメータの脈動吸収構造に存する。
【００１３】
請求項２記載の発明によれば、緩衝室は、流路の流入口の直後及び流出口の直前にそれぞれ設けられているので、流入口と流出口の間に設置された流量センサ付近での流速変化が小さくなる効果が得られる。
【００１４】
上記課題を解決するためになされた請求項３記載の発明は、前記緩衝室は、前記メータの裏側に設けられており、前記流量センサの上流側および下流側に前記緩衝室への出入り口をそれぞれ設けたことを特徴とする請求項１記載の電子化ガスメータの脈動吸収構造に存する。
【００１５】
請求項３記載の発明によれば、緩衝室は、メータの裏側に設けられており、流量センサの上流側および下流側に緩衝室への出入り口をそれぞれ設けているので、流量センサ付近での流速変化が小さくなる効果が得られる。
【００１６】
上記課題を解決するためになされた請求項４記載の発明は、前記流量センサは、前記流路の流入口に連通する導入路と前記流路の流出口に連通する導出路との間に穴付き仕切板で区切られた計測路内に設置され、前記緩衝室は、前記導入路との間および前記計測路との間にそれぞれ出入り口を有する第１の緩衝室と、前記導出路との間および前記計測路との間にそれぞれ出入り口を有する第２の緩衝室とからなることを特徴とする請求項１記載の電子化ガスメータの脈動吸収構造に存する。
【００１７】
請求項４記載の発明によれば、流量センサは、流路の流入口に連通する導入路と流路の流出口に連通する導出路との間に穴付き仕切板で区切られた計測路内に設置され、緩衝室は、導入路との間および計測路との間にそれぞれ出入り口を有する第１の緩衝室と、導出路との間および計測路との間にそれぞれ出入り口を有する第２の緩衝室とからなるので、流量センサ付近での流速変化が小さくなる効果が得られる。
【００１８】
【発明の実施の形態】
以下、本発明の実施の形態を図面に基づいて説明する。図１は、本発明の第１の実施形態に係る電子化ガスメータの脈動吸収構造を示し、（Ａ）は概略構成図、（Ｂ）は（Ａ）における流路部分を示す部分断面図である。図１において、電子化ガスメータは、ガス供給源側である上流側配管５１Ａ及びガス消費源側である下流側配管５２Ａの間に接続される。この上流側配管５１Ａ及び下流側配管５２Ａは、所定の間隔を有して、電子化ガスメータのガスメータ本体５の流入口５１及び流出口５２がそれぞれ連結されている。流入口１１から流入したガスは、ガスメータ内部の流路５３を通過し、流出口５２に流出していく。この流路５３の途中には、整流器１を収容するために整流器１の形状に対応した整流器収容部５４が形成されている。
【００１９】
この整流器収容部５４は、図１（Ａ）に示すように、第１のメッシュユニット収容部５４１、第２のメッシュユニット収容部５４２および整流板ユニット収容部５４３から構成されている。特に、整流板ユニット収容部５４３には、流路５３を通過するガス流量を検出するための流量センサの測定面に対応した円形状のセンサ孔５４４が設けられている。詳細には、このセンサ孔５４４の位置は、整流板ユニット収容部５４３の中央部に設けられている。
【００２０】
整流器１は、図１（Ｂ）および図２に示すように、複数の整流板１４と、第１〜第３メッシュ１５Ａ，１５Ｂ，１５Ｃとからなる。複数の整流板１４は共に同一形状をなしており、流路５３の断面を流れ方向にほぼ均等に複数層の小流路、たとえば６層の小流路に分割するように、それぞれ、等間隔かつ平行になるように配置されている。すなわち、複数の整流板１４のうちの一番上にある整流板１４は、流量センサ１０が設置されている第１層の小流路を形成し、一番上にある整流板１４の真下にある整流板１４は、一番上にある整流板１４との間で第２層の小流路を形成し、以下同様にして第３層の小流路〜第６層の小流路が形成されている。複数の整流板１４は、流量センサ１０の設置箇所に基づいて配置されており、詳細には、流れ方向に沿って流量センサ１０の設置位置から整流板１４の一方の端部までの長さ（Ｌ１）が、流量センサ１０の設置位置から整流板１４の他方の端部までの長さ（Ｌ２）と同一になるように配置されている。
【００２１】
第１メッシュ１５Ａおよび第２メッシュ１５Ｂは、複数の整流板１４を上流側（図面中左側）および下流側（図面中右側）からそれぞれ密着して挟むように流路５３の途中に配置されている。また、第３メッシュ１５Ｃは、第１メッシュ１５Ａの上流側に所定の間隔をおいて流路５３の途中に配置されている。そして、これら第１メッシュ１５Ａ、第２メッシュ１５Ｂおよび第３メッシュ１５Ｃの目の細かさ、すなわち、１平方インチ当たりの格子数は、それぞれ、例えば、８０個、４０個および８０個である。すなわち、上流側から順に各メッシュの格子数は、８０個（密）、８０個（密）および４０個（粗）となっている。
【００２２】
また、流路５３の流入口５１の直後及び流出口５２の直前には、流路５３と連通した緩衝室５３Ａが設けられている。
【００２３】
次に、上述の第１の実施形態に係る電子化ガスメータの脈動吸収構造で使用される整流器の具体的構成について、図３および図４を用いて説明する。図３および図４は、それぞれ、整流器の斜視図および分解斜視図である。
【００２４】
図３および図４に示すように、整流器１は、第１および第２のメッシュユニット１１および１２、並びに整流板ユニット１３から構成される。これらのユニット１１、１２および１３は、それぞれ別途に形成されて、これらが一体化されて一つの整流器１が形成される。このような整流器１は、例えば、ガスメータの流量センサ１０が設置される流路５３の途中に形成された整流器収容部５４に装着される。
【００２５】
第１のメッシュユニット１１は、所定長の四角形筒状の外枠部、およびこの外枠部により形成される両開口面をそれぞれ覆い、整流器１が装着される流路のガス流方向に対して垂直になるように、この外枠部に図１（Ｂ）および図２で示したような第１メッシュ１５Ａ、第３メッシュ１５Ｃがそれぞれ固着されている。詳細には、第３のメッシュ１５Ｃおよび第１のメッシュ１５Ａは、それぞれ、この外枠部の上流側開口面および下流側開口面を覆うように固着されている。この固着には、例えば超音波振動溶着が利用される。これら外枠部およびメッシュは、それぞれ、例えば、耐熱性プラスティック製および金属製である。この第１のメッシュユニット１１の両側面縁部からは、可撓性のある腕状の係止片１１１、１１３が突設されている。そして、これら係止片１１１、１１３のそれぞれの先端付近には、内向する係止突起１１１ａ、１１３ａが形成されている。
【００２６】
また、第２のメッシュユニット１２は、第１のメッシュユニット１１と類似の構成を有しており、所定長の四角形筒状の外枠部、およびこの外枠部により形成される上流開口面を覆い、整流器１が装着される流路のガス流方向に対して垂直になりこの外枠の下流側開口面を覆うように、図１（Ｂ）および図２で示したような第２メッシュ１５Ｂが固着されている。この固着にも、例えば超音波振動溶着が利用される。これら外枠部およびメッシュは、それぞれ、例えば、耐熱性プラスティック製および金属製である。この第２のメッシュユニット１２における上流側両側面縁部からも、可撓性のある腕状の係止片１２２、１２４が突設されている。そして、これら係止片１２２、１２４のそれぞれの先端付近には、内向する係止突起１２２ａ、１２４ａが形成されている。なお、ここでいう上流側または下流側とは、正流時における上流側または下流側を示すものとする。
【００２７】
一方、整流板ユニット１３は、所定長で断面凹状をした外枠部、およびこの外枠部の内壁に流路の断面を均等に分割するように、図２で示したような複数の薄い板状の整流板１４Ａ〜１４Ｅが、それぞれ、等間隔で平行に配設されている。これら外枠部および整流板１４Ａ〜１４Ｅは共に、例えば、耐熱性プラスティック製である。この整流板ユニット１３には、対向する側面外壁がくりぬかれるようにして、４つの係止溝１３１、１３２等（係止片１１３、１２４に対応する係止溝は不図示）が形成されている。詳細には、係止溝１３１は、係止片１１１の係止突起１１１ａがスライド可能なスライド溝１３１ｂおよび係止突起１１１ａに対応した形状の係止凹部１３１ａから構成される。また、整流板ユニット１３の外枠部の対向する内壁には、５枚の薄板状の整流板１４がそれぞれスライド挿入される複数の溝１３５が形成されている。これらの溝１３５を利用して、５枚の整流板１４が取り付けられる。他の係止溝１３２等も同様であるので、ここでは説明を省略する。
【００２８】
そして、整流板ユニット１３を両側から挟むように、第１のメッシュユニット１１および第２のメッシュユニット１２が組み付けられて整流器１が形成される。すなわち、整流器１の組み立て時には、まず、複数の整流板１４がそれぞれ、整流板ユニット１３の複数の溝１３５にスライド挿入される。次に、係止片１１１、１１３の係止突起１１１ａ、１１３ａを、係止溝１３１、１３３のスライド溝１３１ｂ等上をスライドさせながら、係止凹部１３１ａ等まで誘導して、係止突起１１１ａ、１１３ａを係止凹部１３１ａ等に係合させる。これによって、第１のメッシュユニット１１を整流板ユニット１３に固定する。
【００２９】
同様にして、第２のメッシュユニット１２の整流板ユニット１３への固定時には、係止片１２２、１２４の係止突起１２２ａ、１２４ａを、係止溝１３２等のスライド溝１３２ｂ等上をスライドさせながら、係止凹部１３２ａ等まで誘導して、係止突起１２２ａ、１２４ａを係止凹部１３２ａ等に係合させる。なお、この第２のメッシュユニット１２の整流板ユニット１３への固定を、第１のメッシュユニット１１の整流板ユニット１３への固定より先に行ってもよいし、組み立て時間節約のために、第１のメッシュユニット１１および第２のメッシュユニット１２を同時に整流板ユニット１３に固定するようにしても良い。
【００３０】
このようにして組み立てられた整流器１は、図１に示すガスメータ本体５の流路５３の所定位置に固定される。詳細には、図２に示す整流器１の一番上に配置される整流板１４が、図１に示すガスメータ本体５の整流器収容部５４のセンサ孔５４４に対向し、整流器１を構成する第１のメッシュユニット１１、第２のメッシュユニット１２および整流板ユニット１３が、整流器収容部５４を構成する第１のメッシュユニット収容部５４１、第２のメッシュユニット収容部５４２および整流板ユニット収容部５４３にそれぞれ対応するようにして、整流器１が、ガスメータ本体５の背面から装着される。このように装着されると、上述したように、流れ方向に沿って流量センサ１０前後の整流板１４の長さＬ１およびＬ２が同一になる。
【００３１】
以上のように、流路５３内に整流器１を装着したことにより上流側および下流側から導入される脈動の影響が軽減される。また、流れ方向に沿って流量センサ１０前後の整流板１４の長さが同一になるようにしているので、正流時および逆流時の流量センサ１０の出力特性も均一化される。したがって、正流時および逆流時に同等のパラメータおよび処理手順が適用できるため、流量計算処理が簡素化されてマイクロコンピュータの負担が軽減される。
【００３２】
さらに、本発明では、上述のように、流路５３の流入口５１の直後及び流出口５２の直前に、流路５３と連通した緩衝室５３Ａが設けられている。
【００３３】
この緩衝室５３Ａは、流量センサ１０の設置位置が流入口５１または流出口５２から流路５３に導入される脈動による圧力変動の腹の位置にほぼ一致するように調整する作用を行う。より詳細には、流入口５１または流出口５２から流路５３に導入される脈動のうち最も圧力変動の振幅の大きい周波数成分に対して、その圧力変動の腹の位置（すなわち、図８における曲線Ｐで示す圧力変動特性における腹の位置（丸ＡおよびＡ′で囲んだ位置））に流量センサ１０の設置位置がほぼ一致するように、緩衝室５３Ａの空間の大きさ、すなわち容積が設定される。
【００３４】
具体的には、緩衝室の容積は、たとえば１リットル以下とする。一例として、脈動周波数１５Ｈｚに対して±２０００（リットル／時）の流速が変動していると仮定すると、流速の変動量は、以下の計算式の通り１リットル以下となる。
｛２×２０００（リットル）／３６００（秒）｝×（１／１５）＝０．０７４（リットル）
よって、緩衝室５３Ａの容積は、１リットル以下で十分である。
【００３５】
このように構成される第１の実施の形態によれば、脈動のうち最も圧力変動の振幅の大きい周波数成分による圧力変動に対してほぼ９０度の位相差で遅れる流速の変動は、流量センサ１０付近においてほぼゼロになり、また、上述の脈動周波数成分の周波数に近い周波数を有する脈動周波数成分による流速の変化も小さくなる。したがって、流量センサ１０への脈動の影響は、整流器１で緩和されるが、緩衝室５３Ａによってさらに緩和される。また、これに伴い、流量センサ１０の逆流側検出範囲を小さくできるため、回路のコストダウンとなる。
【００３６】
次に、図５は、本発明の第２の実施形態に係る電子化ガスメータの脈動吸収構造を示し、（Ａ）は概略構成図、（Ｂ）は（Ａ）における流路部分を示す部分断面図である。図２においては、図１における流量センサ１０および整流器１の配置は同じであるが、図１における緩衝室５３Ａに代えて、緩衝室５３Ａと同一の作用および効果を伴う緩衝室５３Ｂが、ガスメータ本体５の裏側に突出して設けられており、流量センサの上流側および下流側において整流器１の直前および直後に緩衝室５３Ｂへの出入り口５３ｂがそれぞれ設けられている。
【００３７】
上述の構成において、第１の実施形態と同様に、ガスメータ本体５の裏側に設けられた緩衝室５３Ｂの容積の適宜な設定により、流入口５１または流出口５２から流路５３に脈動が導入された場合、脈動を伴うガスの流れは、出入り口５３ｂを介して緩衝室５３Ｂに出入りし、それにより、流量センサ１０の設置位置が、脈動による圧力変動の腹の位置にほぼ一致するようになる。
【００３８】
その結果、このように構成される第２の実施の形態においても、脈動のうち最も圧力変動の振幅の大きい周波数成分による圧力変動に対してほぼ９０度の位相差で遅れる流速の変動は、流量センサ１０付近においてほぼゼロになり、また、上述の脈動周波数成分の周波数に近い周波数を有する脈動周波数成分による流速の変化も小さくなる。したがって、流量センサ１０への脈動の影響は、整流器１で緩和されるが、緩衝室５３Ｂによってさらに緩和される。また、これに伴い、流量センサ１０の逆流側検出範囲を小さくできるため、回路のコストダウンとなる。
【００３９】
次に、図６は、本発明の第３の実施形態に係る電子化ガスメータの脈動吸収構造を示し、（Ａ）は概略構成図、（Ｂ）は（Ａ）における流路部分を示す部分断面図である。図６においては、Ｕ字状の流路５３における流入口５１から連通する垂直な流れ方向の導入路および流出口５２から連通する垂直な流れ方向の導出路と、水平な流れ方向の計測路との間に、ガスが通過する穴６０ａを有する穴付き仕切板６０をそれぞれ備え、これらの穴付き仕切板６０で区切られた計測路内に整流器１および流量センサ１０を配置すると共に、導入路および計測路の下部と、導出路および計測路の下部とに、それぞれ、第１の緩衝室５３Ｃおよび第２の緩衝室５３Ｄを備えている。また、第１の緩衝室５３Ｃは、正流時に導入路からガスが流入して計測路へ出ていく出入り口５３ｃ１および５３ｃ２を有し、第２の緩衝室５３Ｄは、逆流時に導出路からガスが流入して計測路へ出ていく出入り口５３ｄ１および５３ｄ２を有する。
【００４０】
上述の構成において、第１の緩衝室５３Ｃおよび第２の緩衝室５３Ｄは同一の容積を有し、これらの容積の適宜な設定により、流入口５１から流路５３に脈動が導入された場合、脈動を伴うガスの流れは、導入路から穴６０ａを介して計測路に入ると共に、出入り口５３ｃ１を介して第１の緩衝室５３Ｂに入って出入り口５３ｃ２を介して計測路に入る。また、流出口５２から流路５３に脈動が導入された場合は、脈動を伴うガスの流れは、導出路から穴６０ａを介して計測路に入ると共に、出入り口５３ｄ１を介して第２の緩衝室５３Ｄに入って出入り口５３ｃ２を介して計測路に入る。このようなガスの出入りによって、流量センサ１０の設置位置が、脈動による圧力変動の腹の位置にほぼ一致するようになる。
【００４１】
その結果、このように構成される第３の実施の形態においても、脈動のうち最も圧力変動の振幅の大きい周波数成分による圧力変動に対してほぼ９０度の位相差で遅れる流速の変動は、流量センサ１０付近においてほぼゼロになり、また、上述の脈動周波数成分の周波数に近い周波数を有する脈動周波数成分による流速の変化も小さくなる。したがって、流量センサ１０への脈動の影響は、整流器１で緩和されるが、第１の緩衝室５３Ｃおよび第２の緩衝室５３Ｄによってさらに緩和される。また、これに伴い、流量センサ１０の逆流側検出範囲を小さくできるため、回路のコストダウンとなる。
【００４２】
以上の通り、本発明の実施の形態について説明したが、本発明はこれに限らず、種々の変形、応用が可能である。
【００４３】
たとえば、上述の第２の実施形態では、緩衝室５３Ｂが、ガスメータ本体５の裏側に突出して設けられているが、この緩衝室５３Ｂは、電子化ガスメータの裏カバーによって形成されるように構成しても良い。また、上述の第２の実施形態では、出入り口５３ｂは、整流器１の直前および直後に、それぞれ１個のみ示されているが、これに限らず、流路５３の任意の場所、たとえば流入口５１の直後および流出口５２の直前に設けたり、それぞれの場所に複数個設けたりしても良い。
【００４４】
また、本発明は、上述した電子化ガスメータ以外の流量測定装置にも適用可能である。また、整流器を構成するユニット数や係止片等の形状も、本発明の主旨を逸脱しない範囲で変更可能である。
【００４５】
【発明の効果】
以上説明したように、請求項１記載の発明によれば、流入口または流出口から流路に導入される脈動の流量センサへの影響を緩和することができる。また、これに伴い、流量センサの逆流側検出範囲を小さくできるため、回路のコストダウンとなる。
【００４６】
請求項２、３または４記載の発明によれば、流入口と流出口の間に設置された流量センサ付近での流速変化が小さくなる効果が得られる。
【図面の簡単な説明】
【図１】本発明の第１の実施形態に係る電子化ガスメータの脈動吸収構造を示し、（Ａ）は概略構成図、（Ｂ）は（Ａ）における流路部分を示す部分断面図である。
【図２】図１におけるＸ−Ｘ線断面から見た場合の整流器の構成を説明する略図である。
【図３】本発明の電子化ガスメータの脈動吸収構造で使用される整流器の斜視図である。
【図４】本発明の電子化ガスメータの脈動吸収構造で使用される整流器の分解斜視図である。
【図５】本発明の第２の実施形態に係る電子化ガスメータの脈動吸収構造を示し、（Ａ）は概略構成図、（Ｂ）は（Ａ）における流路部分を示す部分断面図である。
【図６】本発明の第３の実施形態に係る電子化ガスメータの脈動吸収構造を示し、（Ａ）は概略構成図、（Ｂ）は（Ａ）における流路部分を示す部分断面図である。
【図７】従来の電子化ガスメータの構成例を示す概略構成図である。
【図８】図７の電子化ガスメータにおける流路内の位置（Ｘ）に対する圧力変動特性および流速変動特性を示すグラフである。
【符号の説明】
１　　　　整流器
１０　　　流量センサ
５３　　　流路
５３Ａ　　緩衝室
５３Ｂ　　緩衝室
５３ｂ　出入り口
５３Ｃ　　第１の緩衝室
５３ｃ１　出入り口
５３ｃ２　出入り口
５３Ｄ　　第２の緩衝室
５３ｄ１　出入り口
５３ｄ２　出入り口
【図１】
2004093393.tif 000003
【図２】
2004093393.tif 000004
【図３】
2004093393.tif 000005
【図４】
2004093393.tif 000006
【図５】
2004093393.tif 000007
【図６】
2004093393.tif 000008
【図７】
2004093393.tif 000009
【図８】
2004093393.tif 000010